(57)【特許請求の範囲】
【請求項１】
照明制御手段により照明光特性が制御される照明機器の照明の下で、通信機能及びカラーバランス調整機能を有する画像表示装置が表示画面に画像を表示する際に、前記画像表示装置が表示画像のカラーバランスを調整する方法であって、
通信機能を有する前記照明制御手段から前記画像表示装置へ前記照明機器の照明光特性情報を送信し、
前記照明制御手段から送信された前記照明機器の照明光特性情報を前記画像表示装置が受信し、
受信した前記照明機器の前記照明光特性情報に応じて、前記画像表示装置が表示画像のカラーバランスを調整するようにしたことを特徴とするカラーバランス調整方法。
【請求項２】
照明制御手段により照明光特性が制御される照明機器の照明の下で表示画面に画像を表示する画像表示装置であって、
表示画面に画像を表示する画像表示手段と、
通信機能を有する前記照明制御手段から送信される、前記照明機器の照明光特性情報を受信する受信手段と、
前記受信手段が受信した前記照明機器の前記照明光特性情報に応じて、前記画像表示手段による表示画像のカラーバランスを調整する表示制御手段と
を備えたことを特徴とする画像表示装置。
【請求項３】
照明制御手段により照明光特性が制御される照明機器の照明の下で、通信機能及びカラーバランス調整機能を有する画像表示装置が表示画面に画像を表示する際に、前記画像表示装置が表示画像のカラーバランスを調整する方法であって、
通信機能を有する前記照明制御手段から前記画像表示装置へ前記照明機器の設置位置が屋内であることを示す設置位置情報を送信し、
前記照明制御手段から送信された前記照明機器の前記設置位置情報を前記前記画像表示装置が受信し、
受信した前記照明機器の前記設置位置情報に応じて、前記画像表示装置が表示画像のカラーバランスを調整するようにしたことを特徴とするカラーバランス調整方法。
【請求項４】
照明制御手段により照明光特性が制御される照明機器の照明の下で表示画面に画像を表示する画像表示装置であって、
表示画面に画像を表示する画像表示手段と、
通信機能を有する前記照明制御手段から送信される、前記照明機器の設置位置が屋内であることを示す設置位置情報を受信する受信手段と、
前記受信手段が受信した前記照明機器の前記設置位置情報に応じて、前記画像表示手段による表示画像のカラーバランスを調整する表示制御手段と
を備えたことを特徴とする画像表示装置。
【発明の詳細な説明】
【０００１】
【発明の属する技術分野】
本発明は、カラーバランス調整方法および画像表示装置に係り、特に、任意の照明光源の下で画像を表示する際に表示画像のカラーバランスを良好に制御するカラーバランス調整方法および画像表示装置に関する。
【０００２】
【従来の技術】
従来、ネガフィルム、リバーサルフィルム等の写真フィルム（以下、フィルムとする）に撮影された画像の感光材料（印画紙）への焼き付けは、フィルムの画像を感光材料に投影して感光材料を面露光する、いわゆる直接露光（アナログ露光）が主流であった。
これに対し、近年では、デジタル露光を利用する焼付装置、すなわち、フィルムに記録された画像を光電的に読み取って、読み取った画像をデジタル信号とした後、このデジタル画像データに対して種々の画像処理を施して記録用の画像データとし、この画像データに応じて変調した記録光によって感光材料を走査露光して画像（潜像）を記録し、（仕上り）プリントとするデジタルフォトプリンタが実用化された。
【０００３】
デジタルフォトプリンタでは、画像をデジタルの画像データとして、画像データ処理によって焼付時の露光条件を決定することができるので、逆光やストロボ撮影等に起因する画像の飛びやツブレの補正、シャープネス（鮮鋭化）処理、カラーあるいは濃度フェリアの補正等を好適に行って、従来の直接露光では得られなかった高品位なプリントを得ることができる。
しかし、従来一般ユーザによって広く利用されているネガフィルムへの原稿画像の撮影状態は必ずしも一様ではなく、例えば昼光や蛍光灯等の様々な光源下で使用されているため、現像済ネガフィルムからプリントを作成する場合、プリント光源の光質を一定にして、焼き付けを行うと、撮影光源の色味が直接プリントに反映されてしまい、不適切なプリントになってしまうことがあった。
【０００４】
そこで、従来、プリント上でカラーバランス（ホワイトバランス）を調整するために様々な工夫がなされて来た。その中の代表的なものとして、「世の中の色をすべて平均すればグレーである。」というエバンスの原理（仮説）に基づくＬＡＴＤ方式がある。ＬＡＴＤ（Large Area Transmission Density 、大面積平均透過濃度) とは、画面全体の平均透過濃度のことをいい、ＬＡＴＤ方式とは、カラーネガフィルムの各コマのＬＡＴＤを測定し、そのＲＧＢ濃度の大小によりプリント光源の光質を変化させることによりプリント上の平均色をグレーに近づけるというものである。すなわち、撮影シーン全体の色味の平均をグレーと見做すことで、カラーバランスを取るものである。
【０００５】
一方、近年、デジタルスチルカメラ（ＤＳＣ）が急速に普及し始めている。ＤＳＣでは、撮影されたＤＳＣ画像は表示装置に表示され、それ自体直接鑑賞の対象になるため、ＤＳＣ画像は、これをプリントとして出力する以前に、それ自体がホワイトバランスの取れた美しい画像でなくてはならない。カラーネガフィルムと同様にＤＳＣ画像も様々な光源下で撮影されるため、ＤＳＣにホワイトバランスを補正する機能がないと、不満足な画像となってしまう。そこで、最近のほとんどのＤＳＣには、ホワイトバランス補正を自動的に行うオートホワイトバランス（ＡＷＢ；Auto  White Balance ) 機能が搭載されている。
【０００６】
デジタルカメラのオートホワイトバランス調整については、従来様々な技術が提案されている。例えば、特開２０００−７８６０６号公報には、被写体の輝度に応じ、撮像素子の出力のゲインを規制するリミッタ領域を変えてホワイトバランスを調整するホワイトバランス調整装置が開示されている。すなわち、これは、色の偏ったシーンに行き過ぎた補正をかけると却って色味を損なってしまうため、補正ゲインを規制するリミッタが設けられているが、このリミッタ領域を被写体の輝度に対応する光源種に応じて変えることによりホワイトバランス調整を行うものである。
【０００７】
【発明が解決しようとする課題】
しかしながら、前記従来のホワイトバランス調整方法では、撮影シーンから輝度データを算出して光源を推定しているため、シーンによってはカラーフェリアが発生するという問題がある。
例えば、蛍光灯あるいはタングステン光源等の室内のシーンと、屋外の樹木等の多いシーンでは、忠実な色再現の両立が難しいという問題がある。
【０００８】
本発明は、前記従来の問題に鑑みてなされたものであり、光源の種類に対応してカラーバランスを最適化することのできるカラーバランス調整方法および画像表示装置を提供することを課題とする。
【０００９】
【課題を解決するための手段】
前記課題を解決するために、本発明に係る第１のカラーバランス調整方法は、照明制御手段により照明光特性が制御される照明機器の照明の下で、通信機能及びカラーバランス調整機能を有する画像表示装置が表示画面に画像を表示する際に、画像表示装置が表示画像のカラーバランスを調整する方法であって、通信機能を有する照明制御手段から画像表示装置へ照明機器の照明光特性情報を送信し、照明制御手段から送信された照明機器の照明光特性情報を画像表示装置が受信し、受信した照明機器の照明光特性情報に応じて、画像表示装置が表示画像のカラーバランスを調整するようにした方法である。
【００１０】
本発明に係る第１の画像表示装置は、照明制御手段により照明光特性が制御される照明機器の照明の下で表示画面に画像を表示する画像表示装置であって、表示画面に画像を表示する画像表示手段と、通信機能を有する照明制御手段から送信される、照明機器の照明光特性情報を受信する受信手段と、受信手段が受信した照明機器の照明光特性情報に応じて、画像表示手段による表示画像のカラーバランスを調整する表示制御手段とを備えたものである。
【００１１】
本発明に係る第２のカラーバランス調整方法は、照明制御手段により照明光特性が制御される照明機器の照明の下で、通信機能及びカラーバランス調整機能を有する画像表示装置が表示画面に画像を表示する際に、画像表示装置が表示画像のカラーバランスを調整する方法であって、通信機能を有する照明制御手段から画像表示装置へ照明機器の設置位置が屋内であることを示す設置位置情報を送信し、照明制御手段から送信された照明機器の設置位置情報を画像表示装置が受信し、受信した照明機器の設置位置情報に応じて、画像表示装置が表示画像のカラーバランスを調整するようにした方法である。
【００１２】
本発明に係る第２の画像表示装置は、照明制御手段により照明光特性が制御される照明機器の照明の下で表示画面に画像を表示する画像表示装置であって、表示画面に画像を表示する画像表示手段と、通信機能を有する照明制御手段から送信される、照明機器の設置位置が屋内であることを示す設置位置情報を受信する受信手段と、受信手段が受信した照明機器の設置位置情報に応じて、画像表示手段による表示画像のカラーバランスを調整する表示制御手段とを備えたものである。
【００１４】
【発明の実施の形態】
以下、本発明のカラーバランス調整方法について、添付の図面に示される好適実施形態を基に詳細に説明する。
【００１５】
まず、本発明の第１実施形態について説明する。本第１実施形態は、室内全体の照明が家庭用サーバパソコンによって制御されている場合に、このパソコンとカメラとの間で交信を行い、照明光特性に応じてカメラ側でカラーバランス調整するものである。
図１に、本実施形態のカラーバランス調整方法を実施するカメラ及び照明制御手段等の構成を示す。図１に示すように、被写体１０は、照明機器１２によって照射され、その照明の下でカメラ２０によって撮影される。照明機器１２は、パソコン（ＰＣ）１４（照明制御手段）によって制御される。カメラ２０は通信機能を有し、パソコン１４との間で交信が行われる。
【００１６】
照明機器１２は、パソコン１４によって光量を制御することが可能なものであり、例えばＬＥＤ照明等が好適に例示される。また、カメラ２０は、例えばデジタルカメラ等が例示され、カラーバランス（ホワイトバランス）調整機能を有しているものとする。カメラ２０は、その通信機能により、パソコン１４と交信を行い、パソコン１４から照明機器１２の照明光特性情報を取得する。カメラ２０は、取得した照明光特性情報を用いてカラーバランス調整を行う。
【００１７】
以上の構成により、本実施形態においては、次のようにカメラ側でカラーバランス調整を行う。
すなわち、カメラ２０で被写体１０を撮影する際、カメラ２０に設けられた所定のスイッチ等を操作することにより、カメラ２０とパソコン１４（照明制御手段）との間で情報交信を行う。これにより、パソコン１４は、カメラ２０に照明光特性情報を送信し、カメラ２０は照明光特性情報を取得する。
【００１８】
カメラ２０は、照明光特性情報を取得すると、この照明光特性情報に応じて、そのカラーバランス調整機能により、カラーバランス調整を行う。このとき照明光特性情報は、単に光量データのみだけでなく、光源の種類に関する情報すなわち分光分布データをも含んでいるものとする。
従って、本実施形態によれば、光源に応じて画面全体にわたりカラーバランス調整を良好に行うことができ、カラーバランスのとれた高品質の画像を得ることができる。
【００１９】
次に本発明の第２実施形態について説明する。
本第２実施形態も、前記第１実施形態と同様に図１に示すシステム構成によって実行されるが、本実施形態は、カメラ２０の撮影モードに対応させて照明機器１２をパソコン１４で制御して、カラーバランスを調整するものである。
【００２０】
すなわち、本実施形態においても、室内全体の照明機器１２は家庭用サーバパソコン１４によって制御されている。照明機器１２の照明の下で、被写体１０をカメラ２０で撮影する際、カメラ２０とパソコン１４との間で交信を行い、カメラ２０が撮影態勢であることを示す撮影モード情報をパソコン１４へ伝送する。
【００２１】
パソコン１４は、撮影モード情報を受け取ると、照明機器１２を制御して、その照明光がカメラ２０に適したカラーバランスとなるように照明光の波長分布を制御する。具体的には、例えば、照明機器１２がＬＥＤ照明の場合に、そのＲＧＢ出力比を調整するようにする。
【００２２】
このとき、パソコン１４による照明機器１２の制御は、カラーバランス調整のみでなく、光量調整でもよい。例えば、ストロボなしでも撮影できるように撮影時のみ光量を増加させるように制御するようにしてもよい。
また、その他、壁面からの光量を増加させる等して、撮影時に影の出来にくい照明光の分布となるようにしてもよい。
【００２３】
なお、以上説明した各実施形態においては、照明機器１２はパソコン１４（照明制御手段）によって制御され、カメラ２０とパソコン１４との間で交信がなされ情報送信されたが、本発明はこれに限定されるものではなく、例えば、照明制御手段は照明機器と一体化され、さらにこれに通信手段も設置されていて、カメラと照明機器とが直接交信するようにしたものであってもよい。
【００２４】
次に、本発明の第３実施形態について説明する。
本第３実施形態は、カメラは照明光特性情報を記録するのみで、ラボ等において画像を再生する際に、この照明光特性情報を用いてカラーバランス調整するものである。
【００２５】
本実施形態を実行するシステム構成を図２に示す。
図２に示すように、本実施形態においても、被写体１０を照射する室内の照明機器１２はパソコン１４によって制御されている。また、カメラ２０は、照明光特性情報を記録する機能を有しているものとする。この照明光特性情報の記録は、例えば、カメラ２０がフィルムカメラの場合には、フィルム等に撮影コマ毎に磁気的あるいは光学的あるいはその他の方法で記録するものでもよい。また、カメラ２０がデジタルカメラの場合には、画像データに対応させて画像データ毎に画像ファイル（画像記録媒体）に記録するようにしてもよい。
【００２６】
また、ラボ２２では、被写体画像を撮影したフィルムあるいは画像データを受け取ると、これをデジタルフォトプリンタ２４で処理して、ディスプレイ２６に表示したりあるいはこの画像データを記録媒体（画像ファイル）に出力したり、プリント２８として出力する。
デジタルフォトプリンタ２４は、プリント出力あるいは画像表示の際に、フィルムあるいは画像記録媒体（あるいは直接入力されたデータ）から照明光特性情報を読み出して、これに基づいて各撮影画像毎にカラーバランス調整を行う。
【００２７】
本実施形態において、カメラ２０で被写体１０を撮影する際には、カメラ２０は、パソコン１４との間で交信を行い、パソコン１４によって制御されている照明機器１２の照明光特性情報を取得する。カメラ２０は、取得した照明光特性情報をフィルム等に記録する。
例えば、新写真システム（ＡＰＳ）のフィルムの場合においては、周知のように、フィルムの裏面（非乳化剤面）側で撮影シーンの画像、すなわち撮影画像を記録した各コマの画像記録領域の上部および下部の領域に磁気記録層が形成され、カートリッジＩＤやフィルム種等及び照明光特性情報がその他の撮影情報とともに記録される。
また、デジタルカメラの場合には、各撮影画像に対応させてその画像を撮影した際の照明光の特性情報が記録媒体に記録される。
【００２８】
撮影後、撮影フィルムあるいはデジタルカメラで撮影した画像を記録した記録媒体等がラボ２２に持ち込まれると、デジタルフォトプリンタ２４で撮影画像に対する処理が行われ、画像が再生される。
このとき、フィルム等から照明光特性情報が読み出され、画像処理を行う際、これに基づいてディスプレイ２６あるいはプリント２８という出力対象に応じたカラーバランス調整が行われる。
【００２９】
なお、以上説明した第１及び第３実施形態においては、パソコンとカメラとの間で交信して情報送信する際、照明光特性情報を送信していたが、このとき単に室内であることを示す情報をカメラ側に伝送するようにして、カメラのオートホワイトバランス機能あるいはラボでのカラーバランス処理を利用するようにしてもよい。
これは家庭内外を問わず、単に屋内か屋外かを識別するのみでそれに応じたカラーバランス調整をすることにより、処理を単純化しようというものである。
【００３０】
以上説明したように、各実施形態によれば、照明光特性情報を利用することにより、光源の種類に応じたカラーバランス調整を施すことができ、忠実な色再現が可能となる。
【００３１】
次に、本発明の第４実施形態について説明する。
以上説明した各実施形態は、カメラと照明機器を制御するパソコンとの間で照明光特性情報を送信するものであったが、次に説明する第４実施形態は画像表示装置と照明機器を制御するパソコンとの間で照明光特性情報を送信し、表示画像のカラーバランス調整をしようというものである。
【００３２】
図３に本実施形態を実行するシステムの構成を示す。
本実施形態においても、室内の照明機器１２はパソコン１４によって制御されている。照明機器１２の照明の下で、画像表示装置３０（テレビやパソコンの表示画面）を鑑賞者３２が見ているものとする。
本実施形態は、このとき画像表示装置３０の表示画面を照明光特性に応じて自動制御したり、あるいは逆に表示画面の表示内容（表示モード）に応じて照明光を自動制御するものである。
【００３３】
例えば、画像表示装置３０がテレビの場合に、その表示内容（表示モード）によって照明光を制御する仕方としては、ニュース番組の場合には、通常の照明とし、映画番組の場合には、照明を暗めにするあるいはタングステン風色味として映画館のような雰囲気を出す等が考えられる。
この場合、あるいはまた照明光に応じて表示画面を制御する場合にしても、照明光に応じた表示画面の制御、及び表示内容に応じた照明光の制御の内容を予め設定し、また任意に変更することができることが好ましい。
【００３４】
以上、本発明のカラーバランス調整方法について詳細に説明したが、本発明は、以上の実施形態に限定されるものではなく、本発明の要旨を逸脱しない範囲において、各種の改良や変更を行ってもよいのはもちろんである。
【００３５】
【発明の効果】
以上説明した通り本発明によれば、照明光に応じて良好なカラーバランス調整をすることができ、撮影シーンに依存しない忠実な色再現が可能となる。
【図面の簡単な説明】
【図１】  本発明の第１実施形態に係るカラーバランス調整方法を実行するシステムの概略を示す説明図である。
【図２】  本発明の第３実施形態に係るカラーバランス調整方法を実行するシステムの概略を示す説明図である。
【図３】  本発明の第４実施形態に係るカラーバランス調整方法を実行するシステムの概略を示す説明図である。
【符号の説明】
１０  被写体
１２  照明機器
１４  パソコン
２０  カメラ
２２  ラボ
２４  デジタルフォトプリンタ
２６  ディスプレイ
２８  プリント
３０  画像表示装置
３２  鑑賞者
【図１】
0004934256.tif 000002
【図２】
0004934256.tif 000003
【図３】
0004934256.tif 000004